(57)【要約】【課題】複数の情報を同時に表示する場合であっても、一方の情報が隠れる虞がない車両用表示装置を提供する。【解決手段】車両用表示装置は、少なくとも１個の表示器を有する表示手段に、第一の情報及び第二の情報の少なくとも一方を表示する。第一の情報と第二の情報とを同時に表示するときは、第一の情報のみを表示するときよりも第一の情報を縮小して第二の情報に重ならないように表示させる制御手段を設ける。表示手段は、第一の情報を含む第一の表示光を発する第一の表示器と、第二の情報を含む第二の表示光を発する第二の表示器と、第一の表示光を透過または反射させ第二の表示光を反射または透過させる透過反射部材１３と、を有する。【選択図】  図６
2004228887.tif 000002
【特許請求の範囲】
【請求項１】
少なくとも１個の表示器を有する表示手段と、第一の情報及び第二の情報を前記表示手段に表示させる制御手段と、を有する車両用表示装置であって、
前記制御手段は、前記第一の情報のみを表示させるときは、前記第一の情報を第一のサイズで表示させ、前記第一の情報と前記第二の情報とを同時に表示させるときは、前記第一の情報を前記第一のサイズよりも小さい第二のサイズで、前記第二の情報に重ならないように表示させることを特徴とする車両用表示装置。
【請求項２】
少なくとも１個の表示器を有する表示手段に、第一の情報及び第二の情報を表示する車両用表示装置であって、
前記第一の情報と前記第二の情報とを同時に表示するときは、前記第一の情報のみを表示するときよりも前記第一の情報を縮小して前記第二の情報に重ならないように表示させる制御手段を設けたことを特徴とする車両用表示装置。
【請求項３】
前記表示手段は、前記第一の情報を含む第一の表示光を発する第一の表示器と、第二の情報を含む第二の表示光を発する第二の表示器と、前記第一の表示光を透過または反射させ前記第二の表示光を反射または透過させる透過反射部材と、を有することを特徴とする請求項１または請求項２に記載の車両用表示装置。
【請求項４】
前記制御手段は、前記第一の情報と前記第二の情報とを同時に表示させるときは、前記第一の情報を縦横比は変えずに縮小表示させることを特徴とする請求項１または請求項２に記載の車両用表示装置。
【請求項５】
前記制御手段は、前記第一の情報と前記第二の情報とを同時に表示させるときは、前記第一の情報を縦横比を変えて縮小表示させることを特徴とする請求項１または請求項２に記載の車両用表示装置。
【発明の詳細な説明】
【０００１】
【発明の属する技術分野】
本発明は、車両用表示装置に関するものであり、特に複数の情報を表示することが可能な車両用表示装置に関するものである。
【０００２】
【従来の技術】
従来より、ヘッドアップディスプレイ装置が種々提案されて、例えば特許文献１に開示されている。ヘッドアップディスプレイ装置は、車両のダッシュボード１に配設された表示装置２が投射する表示光Ｌをフロントガラス３で運転者４の方向に反射させ、虚像Ｖを表示するものである（図８参照）。表示装置２は、表示器５と凹面鏡６とを有しており、これらの表示器５及び凹面鏡６はハウジング７に収容されている（図９参照）。表示器５が発した表示光Ｌは、凹面鏡６で反射されて、フロントガラス３に投射される。
【０００３】
【特許文献１】
特開平１１−３１００５５号公報
【０００４】
表示器５は、車両の先端部に配設された赤外線カメラ８で撮像した車両前方の映像Ａを表示するものであり、例えば図１０（ａ）に示すように、表示器５には人物Ａ１，Ａ２や道路Ａ３が表示される。斯かるヘッドアップディスプレイ装置を利用すれば、夜間においても、車両のヘッドライトが届きにくいような遠くの物体を視認できるという利点を有している。このようなヘッドアップディスプレイ装置は、ナイトビジョン装置と称される。
【０００５】
【発明が解決しようとする課題】
しかしながら、例えば、車両前方の映像Ａと共に、車速情報の映像Ｂを表示器５に表示する場合に、車両前方を撮像した映像Ａの一部を確認できないという問題を有していた。つまり、スーパーインポーズ回路等を用いて、図１０（ｂ）に示すように車速情報の映像Ｂを車両前方の映像Ａに重畳させると、人物の映像Ａ２が車速情報の映像Ｂに隠れてしまう虞があった。
本発明は、この問題に鑑みなされたものであり、複数の情報を同時に表示する場合であっても、一方の情報が隠れる虞がない車両用表示装置を提供するものである。
【０００６】
【課題を解決するための手段】
本発明は、前記課題を解決するため、請求項１に記載したように、少なくとも１個の表示器１１，１２を有する表示手段４２と、第一の情報及び第二の情報を前記表示手段４２に表示させる制御手段６１と、を有する車両用表示装置であって、前記制御手段６１は、前記第一の情報のみを表示させるときは、前記第一の情報を第一のサイズで表示させ、前記第一の情報と前記第二の情報とを同時に表示させるときは、前記第一の情報を前記第一のサイズよりも小さい第二のサイズで、前記第二の情報に重ならないように表示させるものである。
【０００７】
また、本発明は、請求項２に記載したように、少なくとも１個の表示器１１，１２を有する表示手段４２に、第一の情報及び第二の情報を表示する車両用表示装置であって、前記第一の情報と前記第二の情報とを同時に表示するときは、前記第一の情報のみを表示するときよりも前記第一の情報を縮小して前記第二の情報に重ならないように表示させる制御手段６１を設けたものである。
【０００８】
また、本発明は、請求項３に示すように、前記表示手段４２は、前記第一の情報を含む第一の表示光Ｌ１を発する第一の表示器１２と、第二の情報を含む第二の表示光Ｌ２を発する第二の表示器１１と、前記第一の表示光Ｌ１を透過または反射させ前記第二の表示光を反射または透過させる透過反射部材１３と、を有するものである。
【０００９】
また、本発明は、請求項４に記載したように、前記制御手段６１は、前記第一の情報と前記第二の情報とを同時に表示させるときは、前記第一の情報を縦横比は変えずに縮小表示させるものである。
【００１０】
また、本発明は、請求項５に記載したように、前記制御手段６１は、前記第一の情報と前記第二の情報とを同時に表示させるときは、前記第一の情報を縦横比を変えて縮小表示させるものである。
【００１１】
【発明の実施の形態】
以下、本発明を車両用ヘッドアップディスプレイに応用した一実施形態を説明する。
表示装置１０は、液晶表示器１１（第二の表示器）と、液晶表示器１２（第一の表示器）と、ハーフミラー１３（透過反射部材）と、反射器１４とを有している。第一の液晶表示器１１は、ハーフミラー１３の前面側に配置されており、第二の液晶表示器１２は、ハーフミラー１３の後面側に配置されている。液晶表示器１１，１２、ハーフミラー１３及び反射器１４は、ハウジング１５に収容されている。
【００１２】
液晶表示器１１は、車両の速度情報を表示するものであり、液晶表示素子１６，反射部材１７，発光ダイオード１８，硬質配線板１９を有している（図２参照）。
図３に示すように、液晶表示素子１６は、表示用液晶セル２１，光学補償用液晶セル２２及び偏光板２３，２４を有している。表示用液晶セル２１は、インジウムスズ酸化物（ＩＴＯ；Ｉｎｄｉｕｍ  Ｔｉｎ  Ｏｘｉｄｅ）からなる透明電極膜２５，２６が設けられた一対の透光性基板２７，２８に液晶２９を封入したものである。各透明電極膜２５，２６は、互いに直交するストライプ状となっており、透明電極膜２５と透明電極膜２６が対向する箇所が画素となっている。光学補償用液晶セル２２は、一対の透光性基板３０，３１に液晶３２を封入したものであり、表示用液晶セル２１の後方に配設されている。偏光板２３は、表示用液晶セル２１の前面に貼着されており、偏光板２４は、光学補償用液晶セル２２の後面に貼着されている。
【００１３】
複数の発光ダイオード１８は、互いに近接して配置されており、硬質配線板１９に接続されている。反射部材１７は、白色の樹脂からなるものであり、角筒状となっている。反射部材１７は、内周の反射面１７ａで発光ダイオード３７が発した光を液晶表示素子１６に反射させる。
【００１４】
液晶表示器１２は、液晶表示素子３３，液晶表示素子３３の裏面側に配設された光拡散板３４，光拡散板３４の後方に配設された発光ダイオード３５及び硬質配線板３６を有している（図４参照）。液晶表示素子３３は、表示用液晶セル３７，光学補償用液晶セル３８及び偏光板３９，４０を有している。液晶表示素子３３の構成は、液晶表示素子１６と同様であるので詳細な説明は省略する。
【００１５】
なお、第一の液晶表示器１１の発光ダイオード１８はディスクリート型であるのに対し、第二の液晶表示器１２の発光ダイオード３５はチップ型である。光拡散板３４は、液晶表示素子３３と発光ダイオード３５の間に配置されており、発光ダイオード３５が発した光は光拡散板３４により拡散され、液晶表示素子３３は略均一な明るさで透過照明される。液晶表示素子３３，光拡散板３４，硬質配線板３６は、フレーム４１に組付けられている。液晶表示器１２は、後述する赤外線カメラで撮像した映像を表示するものである。つまり、液晶表示器１２は、ナイトビジョン装置のディスプレイである。液晶表示器１２の画面のアスペクト比（縦横比）は、３：４になっている。
【００１６】
ハーフミラー１３は、液晶表示器１１の表示光Ｌ１を反射させ、液晶表示器１２の表示光Ｌ２を透過させる。ハーフミラー１３は、表示光Ｌ１の方向及び表示光Ｌ２の方向に対して、夫々略４５°になるように傾斜配置されている。
表示手段４２は、液晶表示器１１と、液晶表示器１２と、ハーフミラー１３とからなるものである。
【００１７】
反射器１４は、凹面鏡４８，ミラーホルダー４９，歯車５０及びステッピングモータ５１からなるものである。凹面鏡４８は、表示光Ｌを反射させ、車両のフロントガラスに投射する。凹面鏡４８はミラーホルダー４９に両面粘着テープにより接着されている。凹面鏡４８は、ポリカーボネート（ＰＣ）等の樹脂にアルミニウム（Ａｌ）を蒸着させ反射膜を形成したものである。ミラーホルダー４９はＰＢＴ等の樹脂からなるものであり、歯車部４９ａ及び軸部４９ｂが一体に形成されている。軸部４９ｂはハウジング１５に設けられた軸受部（図示しない）に軸支されている。
【００１８】
ステッピングモータ５１は、凹面鏡４８を回動させ、表示光Ｌの投射方向を調整する。歯車５０はステッピングモータ５１の回動軸に取付けられており、歯車部４９ａと噛み合わされている。運転者は、押ボタンスイッチ（図示しない）を操作し表示光Ｌが目の位置に反射されるように、凹面鏡４８の角度を調整する。
【００１９】
次に、図５に基づいて、表示装置の電気的構成について説明する。５３は車速センサであり、この車速センサ５３は車両の速度を検出し、マイコン５４に車速データを出力する。５５は赤外線カメラであり、この赤外線カメラ５５で撮像された車両前方の撮像データはマイコン５４に出力される。マイコン５４は、ＣＰＵ５６，ＲＯＭ５７及びＲＡＭ５８を有するものであり、車速センサ５３から入力した車速データを、所定の演算処理を行うことにより、ドライバ回路５９を介して液晶表示器１１に車速を表示させると共に、赤外線カメラ５５から入力した撮像データを、ドライバ回路６０を介して液晶表示器１２に表示させる。
【００２０】
車両の運転者は、図示しない押ボタンスイッチを操作することによって、車両前方の映像Ａのみを表示する第一表示モード（図６（ａ）参照）、または車両前方の映像Ａと車速情報の映像Ｂとを表示する第二表示モード（図６（ｂ）参照）を選ぶことができる。第二表示モードにおいては、マイコン５４のＲＯＭ５７に記憶されたプログラムによって車両前方の映像Ａは縦方向に圧縮され、映像Ｂは映像Ａの下側に表示される。
【００２１】
本実施形態によれば、映像Ａ及び映像Ｂを同時に表示する第二表示モードにおいて、映像Ｂが映像Ａに重なることがなく、運転者は映像Ａの全体を見ることができる。なお、図７に示す他の実施形態のように、映像Ａ及び映像Ｂを同時に表示する第二表示モードにおいて、アスペクト比を変えないように映像Ａを縮小表示しても良い。
【００２２】
また、本実施形態の表示手段４２は２個の表示器１１，１２を備えたものであったが、１個の表示器に映像Ａ及び映像Ｂを表示しても良い。また、本実施形態は表示光Ｌをフロントガラスで反射させて視認するヘッドアップディスプレイであったが、本発明は、表示光Ｌを直視する表示装置にも応用できることは言うまでもない。
【００２３】
【発明の効果】
本発明は、少なくとも１個の表示器を有する表示手段と、第一の情報及び第二の情報を前記表示手段に表示させる制御手段と、を有する車両用表示装置であって、前記制御手段は、前記第一の情報のみを表示させるときは、前記第一の情報を第一のサイズで表示させ、前記第一の情報と前記第二の情報とを同時に表示させるときは、前記第一の情報を前記第一のサイズよりも小さい第二のサイズで、前記第二の情報に重ならないように表示させるものであり、第一の情報及び第二の情報を同時に表示する場合であっても、一方の情報が隠れる虞がない。
【００２４】
また、本発明は、少なくとも１個の表示器を有する表示手段に、第一の情報及び第二の情報を表示する車両用表示装置であって、前記第一の情報と前記第二の情報とを同時に表示するときは、前記第一の情報のみを表示するときよりも前記第一の情報を縮小して前記第二の情報に重ならないように表示させる制御手段を設けたものであり、第一の情報及び第二の情報を同時に表示する場合であっても、一方の情報が隠れる虞がない。
【図面の簡単な説明】
【図１】本発明の実施形態を示す概略構成図。
【図２】同上実施形態を示す液晶表示器の断面図。
【図３】同上実施形態を示す液晶表示素子の拡大断面図。
【図４】同上実施形態を示す液晶表示器の断面図。
【図５】同上実施形態の電気的構成を示すブロック図。
【図６】同上実施形態を示す表示モード説明図。
【図７】本発明の他の実施形態を示す表示状態説明図。
【図８】従来例を示すヘッドアップディスプレイの説明図。
【図９】同上従来例を示す表示装置の断面図。
【図１０】同上従来例を示す表示状態説明図。
【符号の説明】
１１  液晶表示器（第二の表示器）
１２  液晶表示器（第一の表示器）
１３  ハーフミラー（透過反射部材）
４２  表示手段
６１  制御手段
Ｌ１  第一の表示光
Ｌ２  第二の表示光
【図１】
2004228887.tif 000003
【図２】
2004228887.tif 000004
【図３】
2004228887.tif 000005
【図４】
2004228887.tif 000006
【図５】
2004228887.tif 000007
【図６】
2004228887.tif 000008
【図７】
2004228887.tif 000009
【図８】
2004228887.tif 000010
【図９】
2004228887.tif 000011
【図１０】
2004228887.tif 000012